(57)【要約】 【課題】電子的価値を投資する際の端数の影響を軽減または除去する。【解決手段】サーバは、ユーザが有する第１の電子的価値の数量を保持する保持手段と、ネットワークを介してユーザの端末から、第２の電子的価値の数量を指定した投資の指示を受け付ける受付手段と、指定された第２の電子的価値の数量に対応する第１の電子的価値の数量を用いて投資の結果を算出する算出手段と、算出された投資の結果で保持手段を更新する更新手段と、を備える。第１の電子的価値と第２の電子的価値との変換レートは、第２の電子的価値の数量が対応する第１の電子的価値の数量よりも少なくとも一桁小さくなるよう設定される。【選択図】図１
2020181493.tif 000002
【特許請求の範囲】
【請求項１】
ユーザが有する第１の電子的価値の数量を保持する保持手段と、
ネットワークを介してユーザの端末から、第２の電子的価値の数量を指定した投資の指示を受け付ける受付手段と、
指定された第２の電子的価値の数量に対応する第１の電子的価値の数量を用いて投資の結果を算出する算出手段と、
算出された投資の結果で前記保持手段を更新する更新手段と、を備え、
第１の電子的価値と第２の電子的価値との変換レートは、第２の電子的価値の数量が対応する第１の電子的価値の数量よりも少なくとも一桁小さくなるよう設定されるサーバ。
【請求項２】
ネットワークを介してユーザの端末から、第３の電子的価値から第２の電子的価値への変換の要求を受け付ける手段と、
変換元の第３の電子的価値が有効期限の異なる複数の数量を含み、それらの数量を第２の電子的価値の一単位へと変換する際、当該一単位の有効期限を、変換元の第３の電子的価値の前記複数の数量の複数の有効期限のうち最も長い有効期限と同じかそれよりも長く設定する変換手段と、をさらに備える請求項１に記載のサーバ。
【請求項３】
前記変換手段は、ユーザに対応付けて、第２の電子的価値の前記一単位を特定する情報と、設定された有効期限と、第２の電子的価値の前記一単位に対応する第１の電子的価値の数量と、を前記保持手段に登録する請求項２に記載のサーバ。
【請求項４】
ネットワークを介してユーザの端末に、当該ユーザが有する第２の電子的価値の数量を示す画面を当該端末のディスプレイに表示させるための情報を送信する送信手段をさらに備え、
前記画面は第１の電子的価値の数量の表示を含まない請求項１から３のいずれか一項に記載のサーバ。
【請求項５】
前記保持手段に保持される第１の電子的価値の数量に所定の端数処理を行うことで、前記画面に示されるべき第２の電子的価値の数量を算出する手段をさらに備える請求項４に記載のサーバ。
【発明の詳細な説明】
【技術分野】
【０００１】
本発明は、電子的価値の投資を可能とするサーバに関する。
【背景技術】
【０００２】
株式取引、外国為替証拠金取引、先物取引、債券取引等の投資には長い歴史がある。近年、実際にお金を投資することには抵抗を感じるが投資には興味がある層をターゲットにした、ポイントなどの電子的価値を投資するサービスが提案されている（例えば、特許文献１参照）。
【０００３】
特許文献１に記載の小額融資促進支援システムは、ユーザのポイントをマイクロファイナンスに利用する。このシステムでは、ユーザが利用可能なポイント数のうちの利用を保留するポイント数である保留ポイント数の指定をユーザ端末から受け付ける。指定された保留ポイント数を記憶手段に書き込んでおき、指定された保留ポイント数分のポイント有効期限を、指定された保留ポイント数の保留期限に基づいて延長する。記憶手段に記憶されている保留ポイント数に基づいて決定された、小額融資として投資する投資金額が、投資先に投資されるのに必要な情報処理を、実行する。
【先行技術文献】
【特許文献】
【０００４】
【特許文献１】特開２００９−２１７３１２号公報
【発明の概要】
【発明が解決しようとする課題】
【０００５】
通常、ポイントは少額ずつこつこつと貯めるものである。これに対して、投資はまとまった額の単位で行われる。したがって、ポイントを投資する際、端数の処理や表示が煩雑となりうる。
【０００６】
本発明はこうした課題に鑑みてなされたものであり、その目的は、電子的価値を投資する際の端数の影響を軽減または除去できる技術の提供にある。
【課題を解決するための手段】
【０００７】
本発明のある態様は、サーバに関する。このサーバは、ユーザが有する第１の電子的価値の数量を保持する保持手段と、ネットワークを介してユーザの端末から、第２の電子的価値の数量を指定した投資の指示を受け付ける受付手段と、指定された第２の電子的価値の数量に対応する第１の電子的価値の数量を用いて投資の結果を算出する算出手段と、算出された投資の結果で保持手段を更新する更新手段と、を備える。第１の電子的価値と第２の電子的価値との変換レートは、第２の電子的価値の数量が対応する第１の電子的価値の数量よりも少なくとも一桁小さくなるよう設定される。
【０００８】
なお、以上の構成要素の任意の組み合わせや、本発明の構成要素や表現を装置、方法、システム、コンピュータプログラム、コンピュータプログラムを格納した記録媒体などの間で相互に置換したものもまた、本発明の態様として有効である。
【発明の効果】
【０００９】
本発明によれば、電子的価値を投資する際の端数の影響を軽減または除去できる。
【図面の簡単な説明】
【００１０】
【図１】実施の形態に係るポイント投資システムの構成を示す模式図である。
【図２】図１の投資サーバのハードウエア構成図である。
【図３】図１の投資サーバの機能および構成を示すブロック図である。
【図４】図３のポイント変換部による変換処理における有効期限の扱いの説明図である。
【図５】図３のユーザ情報保持部の一例を示すデータ構造図である。
【図６】図１の投資サーバにおける一連の処理の流れを示すフローチャートである。
【図７】投資チップへの変換、投資チップの投資および決済に係るデータの変遷を説明する模式図である。
【図８】図８（ａ）〜（ｄ）は、ポイント投資アプリを実行する携帯端末のディスプレイに表示される画面の遷移を示す画面遷移図である。
【図９】図９（ａ）〜（ｄ）は、ポイント投資アプリを実行する携帯端末のディスプレイに表示される画面の遷移を示す画面遷移図である。
【図１０】図１０（ａ）〜（ｃ）は、ポイント投資アプリを実行する携帯端末のディスプレイに表示される画面の遷移を示す画面遷移図である。
【図１１】携帯端末のディスプレイに表示される取引履歴画面の代表画面図である。
【発明を実施するための形態】
【００１１】
以下、各図面に示される同一または同等の構成要素、部材、処理には、同一の符号を付するものとし、適宜重複した説明は省略する。また、各図面において説明上重要ではない部材の一部は省略して表示する。
【００１２】
実施の形態に係るポイント投資システムでは、投資用の投資ポイントの情報を裏で持ちつつ、ユーザには投資ポイントそのものではなく投資ポイントの桁数を切り下げた投資チップを表示し、ユーザからの投資は投資チップ単位で受け付ける。これにより、ユーザによる投資のための入力や投資結果の表示が簡便化され、ユーザにとってより分かりやすいインタフェースが提供される。
【００１３】
仮想投資における株などの投資対象は、１００ポイント単位、１０００ポイント単位など、購入価格に刻みがあるという商品特性を有することが多い。例えば、ユーザが１１１５ポイントや２０６０ポイントを有している場合、１０００ポイント単位の投資対象を購入するのに端数の１１５ポイントや６０ポイントには意味があまりない。そこで、本実施の形態に係るポイント投資システムは、ポイントをチップ化することで端数をユーザから「見えなく」する。上記の例では、ユーザは１チップや２チップを投資するということになり、端数はユーザから見えなくなる。これにより、より分かりやすいユーザインタフェースを提供する。
【００１４】
（実施の形態）
図１は、実施の形態に係るポイント投資システム２の構成を示す模式図である。ポイント投資システム２は、携帯端末４と、情報配信サーバ８と、投資サーバ１０と、を備える。携帯端末４、情報配信サーバ８、投資サーバ１０はそれぞれインターネットなどのネットワーク６に接続され、ネットワーク６を介して互いに通信可能に構成される。図１に示される構成は例示であり、携帯端末４や各サーバ８、１０の数に制限はない。各サーバ８、１０は複数のサーバを含んでもよい。例えば、投資サーバ１０と情報配信サーバ８を一のサーバとして構成することもできるし、投資サーバ１０の後説するブロック構成要素毎をサーバとして構成することもできる。
【００１５】
投資サーバ１０は、ポイント投資システム２により提供されるポイント投資サービスを利用するユーザの獲得ポイント、投資ポイントおよび投資チップを管理する。獲得ポイントは、ユーザが当該ポイント投資サービスや他のロイヤリティプログラム、ポイントサービス、マイレージプログラムなどにおいて獲得したポイントである。獲得ポイントは、その発行体が定めるところにしたがい所定のレートで商品またはサービスに交換可能である。投資ポイントは、投資用のポイントであってユーザには見せないポイントであり、ポイント投資サービスが提供する仮想的な投資対象（株式、投資信託、先物、外国為替など）に投資可能なポイントである。投資ポイントは、その発行体すなわちポイント投資サービスの提供者が定めるところにしたがい所定のレートで商品またはサービスに交換可能である。
【００１６】
投資チップは、投資の受け付けにおいてユーザに指定され、投資結果の表示においてユーザに提示されるポイントである。投資サーバ１０は、投資チップ単位で投資を受け付け、投資チップ単位で投資の結果をユーザに提示する。その際、投資サーバ１０は、投資チップの数量に対応する投資ポイントの数量をユーザに提供しない。投資ポイントと投資チップとの変換レートは、投資チップの数量が対応する投資ポイントの数量よりも少なくとも一桁小さくなるよう設定される。例えば、１投資チップ＝１０投資ポイント、１投資チップ＝１００投資ポイント、１投資チップ＝１０００投資ポイント、等の変換レートが採用されうる。本実施の形態では、１投資チップ＝１０００投資ポイントの変換レートが採用される。
【００１７】
本明細書では、仮想的な投資対象への投資を仮想的な投資または仮想投資と呼ぶ。仮想投資は、実際の金融商品の売買、取引または権利移転を発生させることなく、データの処理によって、ユーザにあたかも金融商品を取引しているかのように見せる形態の投資である。仮想投資は、実際の金融商品の売買等を伴わないので実装が比較的容易である。
【００１８】
獲得ポイントと投資ポイントとは異なる。例えば、獲得ポイントを発行する主体と、投資ポイントを発行する主体と、は異なる。上記の例では、投資ポイントを発行する主体はポイント投資サービスの提供者である一方、獲得ポイントは当該提供者以外の主体、例えばロイヤリティプログラムの提供者により発行されてもよい。また、獲得ポイントの商品またはサービスへの交換の態様と、投資ポイントの商品またはサービスへの交換の態様と、は異なる。例えば、獲得ポイントは実店舗での使用が可能である一方、投資ポイントは電子商取引においてのみ用いられてもよい。獲得ポイントと交換可能な商品またはサービスの範囲は、投資ポイントと交換可能な商品またはサービスの範囲より広くてもよいし、その逆も可能である。獲得ポイントの交換レートは、投資ポイントの交換レートよりもユーザに有利であってもよいし、その逆も可能である。
【００１９】
投資サーバ１０において、投資ポイントは評価ポイント（評価額）の計算用に用いられ、投資チップはユーザインタフェース上で用いられるというそれぞれの性質上、投資ポイントおよび投資チップは同じ主体、すなわちポイント投資サービスの提供者により管理される。
【００２０】
情報配信サーバ８は、投資サーバ１０において仮想投資を処理するために必要な情報を投資サーバ１０にネットワーク６を介して配信する。情報配信サーバ８により配信される情報は、仮想的な投資対象が株式であれば日経平均株価や特定の企業の株価を含み、仮想的な投資対象が外国為替であれば為替レートを含む。情報配信サーバ８は取引所に備えつけのサーバであってもよい。
【００２１】
携帯端末４はポイント投資サービスを利用するユーザの携帯端末であり、例えば、スマートフォン、タブレット端末、ラップトップＰＣなどであってもよい。ユーザは、ダウンロードサイトからネットワーク６を介してポイント投資用アプリケーションプログラム（以下、ポイント投資アプリと称す）を携帯端末４にダウンロードし、インストールする。あるいはまた、ポイント投資アプリは携帯端末４にプリインストールされていてもよい。ポイント投資アプリはポイント投資サービスの提供者により提供される。ポイント投資アプリが携帯端末４により実行されることにより、携帯端末４は各種機能を実現する。
なお、携帯端末の各種機能はサーバ側から提供される構成であってもよく、つまり、各種機能の実際の処理はサーバ側で処理されて携帯端末では表示処理及び要求処理を行う構成（例えば、携帯端末はブラウザ機能のみを有し、サーバ（アプリケーションサーバとＷＥＢサーバ）からの表示情報を表示し、処理要求又は表示要求する）であってもよい。
【００２２】
図２は、図１の投資サーバ１０のハードウエア構成図である。投資サーバ１０は、メモリ１０２と、プロセッサ１０４と、通信インタフェース１０６と、ディスプレイ１０８と、入力インタフェース１１０と、を備える。これらの要素はそれぞれバス１１２に接続され、バス１１２を介して互いに通信する。
【００２３】
メモリ１０２は、データやプログラムを記憶するための記憶領域である。データやプログラムは、メモリ１０２に恒久的に記憶されてもよいし、一時的に記憶されてもよい。プロセッサ１０４は、メモリ１０２に記憶されているプログラムを実行することにより、投資サーバ１０の各種機能を実現する。通信インタフェース１０６は、投資サーバ１０の外部との間でデータの送受信を行うためのインタフェースである。通信インタフェース１０６はネットワーク６と接続され、ネットワーク６を介して携帯端末４や情報配信サーバ８とデータをやりとりする。ディスプレイ１０８は、各種情報を表示するためのデバイスである。入力インタフェース１１０は、ポイント投資システム２の管理者からの入力を受け付けるためのデバイスである。
【００２４】
図３は、図１の投資サーバ１０の機能および構成を示すブロック図である。ここに示す各ブロックは、ハードウエア的には、コンピュータのＣＰＵをはじめとする素子や機械装置で実現でき、ソフトウエア的にはコンピュータプログラム等によって実現されるが、ここでは、それらの連携によって実現される機能ブロックを描いている。したがって、これらの機能ブロックはハードウエア、ソフトウエアの組合せによっていろいろなかたちで実現できることは、本明細書に触れた当業者には理解されるところである。
【００２５】
投資サーバ１０は、変換要求受付部１２２と、ポイント変換部１２４と、投資指示受付部１２６と、仮想投資処理部１２８と、端数処理部１２９と、送信部１３０と、特典交換処理部１３２と、ユーザ情報保持部１３４と、を備える。
【００２６】
変換要求受付部１２２は、ネットワーク６を介してユーザの携帯端末４から、様々な場面で獲得された獲得ポイントから投資チップへの変換の要求を受け付ける。携帯端末４はポイント投資アプリの後述の変換画面５０２において、獲得ポイントを投資チップに変換するための指示をユーザから受け付け、当該変換の要求を投資サーバ１０にネットワーク６を介して送信する。変換の要求は、変換元の獲得ポイント数およびその有効期限を含み、より具体的には（変換元の獲得ポイント数、その有効期限）のひとつ以上の組を含む。変換の要求は、有効期限の異なる複数の獲得ポイント数を含んでもよい。本明細書において、「ポイント数」は、あるひとつの有効期限に対応付けられたひとまとまりのポイントを指し、まとまりの大きさは例えば６００（ポイント）、１０００（ポイント）などの数量で指定される。
【００２７】
ポイント変換部１２４は、変換要求受付部１２２が変換の要求を受け付けると、要求されている変換を実行する。この変換は、ユーザから見た場合は獲得ポイントから投資チップへの変換であり、投資サーバ１０から見た場合は獲得ポイントから投資ポイントへの変換である。ポイント変換部１２４における獲得ポイントから投資ポイントへの変換レートは、ポイント投資サービスの提供者によって適宜設定されてもよい。例えばこの変換レートが１に設定されている場合、変換元の獲得ポイント数が「１０００ポイント」であれば変換先の投資ポイント数は「１０００ポイント」となる。さらに、投資ポイントと投資チップとの変換レートは上記の通り１投資チップ＝１０００投資ポイントであるから、変換先の投資ポイント数「１０００ポイント」は、ユーザには投資チップ数「１チップ」と見える。
【００２８】
投資チップの有効期限は変換元の獲得ポイントの有効期限に基づき設定される。例えば、変換元の獲得ポイントがひとつの有効期限を有する場合、ポイント変換部１２４は投資チップの有効期限を変換元の獲得ポイントの有効期限と同じに設定する。変換元の獲得ポイント数が「１０００ポイント」、その有効期限が「２０１８／８／１」である場合、変換先の投資チップ数「１チップ」の有効期限も「２０１８／８／１」に設定される。
【００２９】
なお、ポイント変換部１２４は、現在から変換元の獲得ポイントの有効期限までの期間の長さが所定値より小さい場合、変換先の投資チップの有効期限を、現在から変換先の投資チップの有効期限までの期間の長さが当該所定値となるよう設定してもよい。所定値は、例えば、１年、半年、３ヶ月、２年等、ポイント投資サービスの提供者によって適宜設定されてもよい。その上でポイント変換部１２４は、現在から変換元の獲得ポイントの有効期限までの期間の長さが当該所定値と同じかまたはそれより大きい場合、変換先の投資チップの有効期限を変換元の獲得ポイントの有効期限と同じに設定してもよい。
【００３０】
変換元の獲得ポイントが有効期限の異なる複数の数量を含み、それらの数量を投資チップの一単位（すなわち、１投資チップ）へと変換することが要求される場合、ポイント変換部１２４は、変換先の１投資チップの有効期限を、変換元の獲得ポイントの複数の数量の複数の有効期限のうち最も長い有効期限と同じかそれよりも長く設定する。
【００３１】
ポイント変換部１２４は、ユーザに対応付けて、投資チップの一単位を特定する投資チップＩＤと、該投資チップに対して設定された有効期限と、該投資チップの一単位に対応する投資ポイント数と、をユーザ情報保持部１３４に登録する。
【００３２】
図４は、ポイント変換部１２４による変換処理における有効期限の扱いの説明図である。図４の例では、ユーザは獲得ポイント数「１０００ポイント」を投資チップ数「１チップ」に変換することを要求している。この変換元の獲得ポイント数「１０００ポイント」は、現在から半年後に有効期限が切れる獲得ポイント数「３００ポイント」と、現在から１年後に有効期限が切れる獲得ポイント数「３００ポイント」と、現在から２年後に有効期限が切れる獲得ポイント数「４００ポイント」と、を含む。ポイント変換部１２４は、変換元の各獲得ポイント数「３００ポイント」、「３００ポイント」、「４００ポイント」の有効期限「現在から半年後」、「現在から１年後」、「現在から２年後」のなかから最も長い有効期限である「現在から２年後」を特定する。ポイント変換部１２４は、変換先の投資チップ数「１チップ」の有効期限を、特定された有効期限「現在から２年後」と同じに設定する。
【００３３】
このように、チップ単位でユーザに有利になるように有効期限を設定することで、ポイント投資システムへのユーザ満足度を高めることができる。もともと投資チップと投資ポイントとの間の変換レートは投資ポイントの桁数を切り下げるように設定されるので、１投資チップに対応する獲得ポイント数は大きくなる（例えば、１００ポイント、１０００ポイント等）傾向にある。一方、獲得ポイントの獲得の態様を考えると、日々１ポイント、１０ポイント単位等細かく獲得していくのが通常である。したがって、上記のように有効期限の揃っていない獲得ポイント数を合わせて１投資チップに交換する状況が比較的多く発生することが予想される。このような状況において、本実施の形態では投資チップの有効期限を、変換元の獲得ポイント数の最長のものとすることで、ユーザにお得感を提供できる。そして、ポイント投資システム側には有効期限を延ばすことによるペナルティが発生するものの、有効期限延長の対象となるポイントはたかだか１投資チップに対応するポイント数程度であるから、それほど大きな問題とはならない、特に上記のユーザ満足度向上の対価としては廉価であるとの判断も可能である。
【００３４】
ポイント変換部１２４は、ユーザを特定するユーザＩＤと、変換元の獲得ポイント数およびその有効期限と、をネットワーク６を介して獲得ポイントの発行体のサーバ（不図示）に通知してもよい。獲得ポイントの発行体は、通知された獲得ポイント数をユーザの獲得ポイント残高から減じてもよい。獲得ポイントの発行体は、このように消し込まれた獲得ポイントに応じた対価をポイント投資サービスの提供者に提供してもよい。当該提供者は、この対価を原資として、投資ポイントと交換可能な商品またはサービス（すなわち、特典）を用意してもよい。
【００３５】
投資指示受付部１２６は、ネットワーク６を介してユーザの携帯端末４から、投資チップの数量を指定した投資の指示を受け付ける。携帯端末４はポイント投資アプリの後述の注文受け付け画面５０４において、ユーザが有する未投資分の投資チップを仮想的な投資対象に投資するための指示をユーザから受け付け、当該投資の指示を投資サーバ１０にネットワーク６を介して送信する。投資の指示は、投資対象と、投資する投資チップ数およびその有効期限と、を含み、より具体的には（投資対象、投資する投資チップ数、その有効期限）のひとつ以上の組を含む。投資の指示は、同じ投資対象に有効期限の異なる複数の投資チップを投資するための指示を含んでもよい。例えば、投資の指示は、「ＡＢＣ商事」の株を「２投資チップ」分買うための指示を含んでもよく、その場合さらに「２投資チップ」の内訳として「２０１８／１２／２５有効期限の１投資チップ」、「２０１８／１０／２５有効期限の１投資チップ」を含んでもよい。あるいはまた、投資の指示は、異なる投資対象に有効期限の同じ投資チップをそれぞれ投資するための指示を含んでもよい。例えば、投資の指示は、「２０１８／１２／２５有効期限の２投資チップ」のうち「１投資チップ」で「甲通商」の株を買い、残りの「１投資チップ」で「乙ホールディング」の株を買うための指示を含んでもよい。
【００３６】
投資指示受付部１２６は、投資される投資チップの有効期限が所定の警告基準を満たす場合、ネットワーク６を介してユーザの携帯端末４に通知を行う。本実施の形態では、１つの取引内での一部決済は許されない。また、投資済みの投資チップの有効期限が切れるとその投資チップが関わる全ての取引が強制的に決済される。したがって、有効期限が異なる（例えば、１週間後、３ヶ月後、６ヶ月後）複数の投資チップが同じ投資対象に投資されている場合、それらの有効期限のうち最も短いもの（１週間後）が切れた段階で、全ての有効期限の投資チップについて強制決済となる。
【００３７】
そこで、取引の開始時、すなわち投資指示受付部１２６が投資の指示を受け付けた段階で、投資指示受付部１２６は、投資対象に投資される投資チップのなかに有効期限が所定値より短いものが存在するか否かを判定する。存在すると判定された場合、投資指示受付部１２６は、ユーザに警告を行う。所定値は例えば１週間、２週間、１ヶ月など、ポイント投資サービスの提供者により適宜設定されてもよい。投資指示受付部１２６は、さらに、投資に用いる投資チップを有効期限ごとに任意に選択できるようにするインタフェースを携帯端末４に提供してもよい。
【００３８】
仮想投資処理部１２８は、投資サーバ１０における仮想投資に係る処理を行う。仮想投資処理部１２８は、投資の指示において指定された投資チップ数に対応する投資ポイント数を用いて投資の結果を算出し、算出された投資の結果でユーザ情報保持部１３４を更新する。
【００３９】
仮想投資処理部１２８は、ネットワーク６を介して情報配信サーバ８から株価や為替レートなどの仮想投資に係るパラメータを受信する。仮想的な株取引であれば、仮想投資処理部１２８は、情報配信サーバ８から対象企業の株価を取得する。仮想的な外国為替証拠金取引であれば、仮想投資処理部１２８は情報配信サーバ８から為替レートを取得する。以下、仮想的な株取引を例として説明するが、仮想的な外国為替証拠金取引などの他の仮想的な投資にも本実施の形態に係る技術的思想を適用できる。
【００４０】
仮想投資処理部１２８は、投資指示受付部１２６が受け付けた指示で指定される投資対象の企業の株価を情報配信サーバ８から取得するか、または既に情報配信サーバ８から取得していた該株価を読み出す。仮想投資処理部１２８は、指示で指定される投資チップに対応する投資ポイント数と取得された株価とに基づいて、ユーザに割り当てられる仮想的な株式（以下、仮想株と称す）の株数を算出する。株数算出の際、仮想投資処理部１２８は、取得された株価に所定の単位変換係数を乗じることにより、投資ポイント単位の株価を算出する。あるいはまた、他のアルゴリズムにより、取得した実際の株価をポイント投資サービスにおける仮想株の株価に変換してもよい。
【００４１】
例えば、買い注文で株価が「１００ポイント」の仮想株を投資チップ「１チップ」分購入することが指定された場合、「１チップ」は投資ポイント数「１０００ポイント」に対応するので、仮想投資処理部１２８はユーザに対象企業の仮想株「１０株」を割り当てる。仮想投資処理部１２８は、投資された投資チップの投資チップＩＤおよびそれに対応する投資ポイント数に対応付けて、投資対象と、仮想株の買値／売値と、割り当てられた株数と、をユーザ情報保持部１３４に登録する。
【００４２】
仮想投資処理部１２８は、周期的に、例えば一日一回、情報配信サーバ８から企業の株価を取得することで、株価を更新する。仮想投資処理部１２８は、株価が更新されると、更新された株価でユーザが有する仮想株を評価する。具体的には、仮想投資処理部１２８は、ユーザが有する仮想株の株数に更新された株価を乗じることで評価ポイント数（評価額）を算出し、当該仮想株の投資時の投資ポイント数と評価ポイント数との差分として増減ポイント数（損益）を算出する。仮想投資処理部１２８は、算出された評価ポイント数と、算出された増減ポイント数と、をユーザ情報保持部１３４に登録する。
【００４３】
端数処理部１２９は、投資ポイントと投資チップとの変換レートを参照し、ユーザ情報保持部１３４に保持される投資ポイントの数量に所定の端数処理を行うことで、携帯端末４のディスプレイに表示される画面に示されるべき投資チップの数量を算出する。端数処理部１２９は、算出された投資チップの数量を表示チップ数としてユーザ情報保持部１３４に登録する。
【００４４】
端数処理部１２９は、ユーザ情報保持部１３４に保持される投資ポイント数（未投資の投資チップの場合）または評価ポイント数（既投資の投資チップの場合）から、以下の規則に基づき表示チップ数を算出する。
＋５００投資ポイント〜＋１４９９投資ポイント  ＝  ＋１投資チップ
−５００投資ポイント〜＋４９９投資ポイント  ＝  ０投資チップ
−１５００投資ポイント〜−５０１投資ポイント  ＝  −１投資チップ
１５００投資ポイント以上、−１５０１投資ポイント以下についても同様な規則が規定される。
【００４５】
あるいはまた、以下の規則が用いられてもよい。
＋１０００投資ポイント〜＋１９９９投資ポイント  ＝  ＋１投資チップ
０投資ポイント〜＋９９９投資ポイント  ＝  ０投資ポイント
−１０００投資ポイント〜−１投資ポイント  ＝  −１投資ポイント
２０００投資ポイント以上、−１００１投資ポイント以下についても同様な規則が規定される。ただし、投資チップを投資する際に手数料を徴収する場合、ユーザが１投資チップを投資した瞬間に表示上は「０投資チップ」の投資となり（システム上は（１０００投資ポイント−手数料）分の投資として登録される）、ユーザに懐疑を抱かせ得る。また、０投資チップの投資という表示を避けるためには、最低投資チップ数を２にする必要があり、自由度が低減する。また、この場合も２投資チップを投資すると表示上は「１投資チップ」の投資となり、ユーザの懐疑は解消されない。そこで、この例のように端数処理において幅を切り捨てるのではなく、先の例のように端数処理を四捨五入とすることで、投資の際の表示上のチップ数の変動を抑えることができる。
なお、１桁以上四捨五入等の端数処理ができればよく、「＋４００投資ポイント〜＋１３９９投資ポイント  ＝  ＋１投資チップ」といった規則であってもよく、定義域は可変設定とすることもできる。
【００４６】
仮想投資処理部１２８は、ユーザの携帯端末４から運用状況の提供要求を受け付けると、ユーザ情報保持部１３４を参照してユーザの運用状況を示す情報を生成し、ネットワーク６を介して携帯端末４に送信する。
【００４７】
仮想投資処理部１２８は、ユーザの携帯端末４からネットワーク６を介して、決済対象の指定を含む決済要求を受け付ける。仮想投資処理部１２８は、決済要求を受け付けると、指定された決済対象に係る投資の決済を実行する。
【００４８】
同じ投資対象に有効期限の異なる二つの投資チップが投資されており、該投資により損益が生じた場合、仮想投資処理部１２８において、以下の二通りのアルゴリズムのうちのいずれかにより、損益が処理される。
（１）投資の結果生じた損益を、投資チップごとに割り振る。
（２）投資の結果生じた利益を新たな投資チップとして発行し、投資の結果生じた損失を、有効期限の短い投資チップの投資ポイントから差し引く。
（１）、（２）のいずれのアルゴリズムを用いるかは、ポイント投資サービスの提供者またはユーザにより選択可能に構成されてもよい。あるいはまた、投資の結果生じた利益を（１）のアルゴリズムで処理し、投資の結果生じた損失を（２）のアルゴリズムで処理してもよいし、その逆も可能である。このように、（１）のアルゴリズムと（２）のアルゴリズムとを組み合わせて用いてもよい。上記損益の処理は決済時に行われるが、評価時に行われてもよい。
【００４９】
下記の利益の例および損失の例を用いて上記二つのアルゴリズムを説明する。
（利益の例）
・２０１８／３／１にＡＢＣ商事の株を２０株購入した。ＡＢＣ商事の株価は１００投資ポイントであったから、２投資チップ（２０００投資ポイント）の投資となった。２投資チップの内訳は、有効期限が２０１８／１２／２５のものが１投資チップ（１０００投資ポイント）、有効期限が２０１８／１０／２５のものが１投資チップ（１０００投資ポイント）であった。
・２０１８／４／１に上記２０株を売却した。ＡＢＣ商事の株価は１８０投資ポイントであったから、１６００投資ポイントの利益が出た。
（損失の例）
・２０１８／３／１にＡＢＣ商事の株を２０株購入した。ＡＢＣ商事の株価は１００投資ポイントであったから、２投資チップ（２０００投資ポイント）の投資となった。２投資チップの内訳は、有効期限が２０１８／１２／２５のものが１投資チップ（１０００投資ポイント）、有効期限が２０１８／１０／２５のものが１投資チップ（１０００投資ポイント）であった。
・２０１８／４／１に上記２０株を売却した。ＡＢＣ商事の株価は２０投資ポイントであったから、１６００投資ポイントの損失が出た。
【００５０】
（１）のアルゴリズムは投資チップのそれぞれに損益を割り振るものである。上記利益の例では、投資された２投資チップのそれぞれは同じ１０００投資ポイントに対応するので、２０１８／４／１時点の１６００投資ポイントの利益は各投資チップに均等に割り振られる。投資チップの有効期限は割り振りに寄与しない。各投資チップには１６００／２＝８００投資ポイントの利益が割り振られ、決済の結果、各投資チップの投資ポイント数は１０００＋８００＝１８００となり、表示チップ数は１から２に変更される。なお、投資チップに対応する投資ポイント数が投資された時点で異なる場合、投資ポイント数が多いほど損益が多く割り振られる。上記の例で仮に投資された２投資チップの一方（投資チップＡ）が８００投資ポイントに対応し他方（投資チップＢ）が１２００投資ポイントに対応する場合、投資チップＡに１６００×８００／（８００＋１２００）＝６４０投資ポイントの利益が割り振られ、投資チップＢに１６００×１２００／（８００＋１２００）＝９６０投資ポイントの利益が割り振られる。
【００５１】
損失についても同様である。上記損失の例では、投資された２投資チップのそれぞれは同じ１０００投資ポイントに対応するので、２０１８／４／１時点の１６００投資ポイントの損失は各投資チップに均等に割り振られる。投資チップの有効期限は割り振りに寄与しない。各投資チップには１６００／２＝８００投資ポイントの損失が割り振られ、決済の結果、各投資チップの投資ポイント数は１０００−８００＝２００となり、表示チップ数は１から０に変更される。なお、投資チップに対応する投資ポイント数が投資された時点で異なる場合、投資ポイント数が多いほど損益が多く割り振られる。上記の例で仮に投資された２投資チップの一方（投資チップＡ）が８００投資ポイントに対応し他方（投資チップＢ）が１２００投資ポイントに対応する場合、投資チップＡに１６００×８００／（８００＋１２００）＝６４０投資ポイントの損失が割り振られ、投資チップＢに１６００×１２００／（８００＋１２００）＝９６０投資ポイントの損失が割り振られる。
【００５２】
（２）のアルゴリズムは利益が出た時は新しく投資チップを発行し、損失が出た時は古い期限の投資チップから引き落すものである。上記利益の例では、２０１８／４／１の決済で発生した１６００投資ポイントの利益は、決済時から所定期間（例えば３年）後を有効期限とする新たな投資チップ（投資チップ数２、対応する投資ポイント数１６００）としてユーザに発行される。その結果、ユーザに、２０２１／４／１を有効期限とする２投資チップが新たに対応付けられる。あるいはまた、有効期限の最も長い投資チップの投資ポイント数に利益分を追加してもよい。
【００５３】
上記損失の例では、２０１８／４／１の決済で発生した１６００投資ポイントの損失は、有効期限の最も短い投資チップ、すなわち有効期限が２０１８／１０／２５の１投資チップに対応する１０００投資ポイントから差し引かれる。その結果、有効期限が２０１８／１０／２５の１投資チップに対応する投資ポイント数は０となり、６００投資ポイントの損失が残る。残った損失は有効期限が２０１８／１２／２５の１投資チップに対応する１０００投資ポイントから差し引かれ、その結果、有効期限が２０１８／１２／２５の１投資チップに対応する投資ポイントは１０００−６００＝４００投資ポイントとなる。有効期限が２０１８／１０／２５の１投資チップの表示チップ数、有効期限が２０１８／１２／２５の１投資チップの表示チップ数はいずれも０となる。このように、（２）のアルゴリズムでは、有効期限に関してユーザに有利な損益の処理を実現することで、ポイント投資サービスを利用することへのモチベーションを高めることができる。
【００５４】
送信部１３０は、ネットワーク６を介して携帯端末４に、各種情報を送信する。各種情報は、例えばユーザが有する仮想株の評価ポイントや、ユーザの獲得ポイントの総計や、ユーザの投資ポイントの総計や、ユーザの投資状況に関する情報や、仮想株の株価などを含む。例えば送信部１３０は、ネットワーク６を介してユーザの携帯端末４に、当該ユーザが有する投資チップの数を示すホーム画面５００（後述）を当該携帯端末４のディスプレイに表示させるための情報を送信する。ホーム画面５００は、ユーザの投資チップの数を示す代わりに、投資ポイントの数の表示を含まない。
【００５５】
特典交換処理部１３２は、未投資分の投資チップを特典に交換するための処理を行う。特典交換処理部１３２における処理は、公知のポイントシステムで用いられている特典交換の処理と同様であってもよい。典型的には、携帯端末４のディスプレイに特典のリストを提示し、ユーザによる特典の選択を受け付けるようなものである。ユーザは特典に交換する投資チップを指定する。特典交換処理部１３２はユーザ情報保持部１３４を参照し、指定された投資チップに対応する投資ポイント数を特定し、特定された投資ポイント数を特典に交換するための処理を行う。
【００５６】
図５は、図３のユーザ情報保持部１３４の一例を示すデータ構造図である。ユーザ情報保持部１３４は、ユーザを特定するユーザＩＤと、ユーザの資格情報としてのパスワードと、ユーザの獲得ポイントに関する情報と、ユーザの投資ポイントに関する情報と、を対応付けて保持する。獲得ポイントに関する情報は、ユーザが有する獲得ポイントを、獲得ポイント数とその有効期限との組の形で示す。投資ポイントに関する情報は、ユーザが有する未投資分の投資チップを、投資チップＩＤと投資ポイント数とその有効期限との組で示し、既投資分の投資チップを、投資チップＩＤと投資ポイント数とその有効期限と投資対象と買値／売値と株数と倍率と評価ポイント数と増減ポイント数との組ので示す。投資ポイントに関する情報は、投資チップＩＤごとに、未投資分であれば投資ポイント数に対応する、既投資分であれば評価ポイント数に対応する、表示チップ数を示す。
【００５７】
図５の例では、ユーザ「Ａ００１」は現時点で「ＡＢＣ商事」の仮想株を２０株有しており、買値は１００投資ポイントであったから買付け時に支払った投資ポイント数は２０００であり、その２０００投資ポイント数の内訳は有効期限が２０１８／１２／２５の投資チップ１に対応する１０００投資ポイントと、有効期限が２０１８／１０／２５の投資チップ１に対応する１０００投資ポイントであり、現時点の評価ポイント数は１８００＋１８００＝３６００であり（現時点のＡＢＣ商事の株価が１８０投資ポイント）、１６００投資ポイントの利益が出ていること、が示されている。
【００５８】
投資チップＩＤ「Ｂ００６」で特定される投資チップは、投資前は１６００投資ポイントに対応する２投資チップであったことが示されている。ユーザがこの２投資チップのうちの１投資チップを「甲通商」に、もう１投資チップを「乙ホールディング」に投資したことが示されている。
【００５９】
投資チップＩＤ「Ｂ００２」で特定される投資チップに対応する投資ポイント数は１６５４となっており、変換直後の１０００から変わっているが、これは、投資チップＩＤ「Ｂ００２」で特定される投資チップが投資され、＋６５４投資ポイントの利益で決済された結果である。ただし、この利益はユーザには＋１投資チップとして示される。
【００６０】
以上の構成による投資サーバ１０の動作を説明する。
図６は、図１の投資サーバ１０における一連の処理の流れを示すフローチャートである。
（変換要求処理フェーズ）
投資サーバ１０は、獲得ポイントから投資チップへの変換の要求を受け付ける（Ｓ６０２）。投資サーバ１０は、変換先の投資チップの有効期限を、変換元の獲得ポイントの有効期限のうち最も長いものに設定する（Ｓ６０４）。投資サーバ１０は、変換元の獲得ポイントを、ステップＳ６０４で設定された有効期限を有する投資チップに変換する（Ｓ６０６）。投資サーバ１０は、ステップＳ６０６で行われた変換の結果でユーザ情報保持部１３４を更新する（Ｓ６０８）。投資サーバ１０は、ユーザ情報保持部１３４において、変換元の獲得ポイントに対応するエントリを削除すると共に、変換先の投資チップに対応するエントリを新規作成する。図５に示されるユーザ情報保持部１３４において例えば有効期限が２０１８／７／１５の１０００獲得ポイントが１投資チップに変換された場合、（獲得ポイント数＝１０００、有効期限＝２０１８／７／１５）のエントリが削除され、代わりに（投資チップＩＤ＝ＸＸＸ、投資ポイント数＝１０００、有効期限＝２０１８／７／１５）のエントリが新たに登録される。ステップＳ６０４〜Ｓ６０８の処理は、変換が済んでいない獲得ポイントが存在する限り繰り返される（Ｓ６１０）。獲得ポイントの変換が完了すると（Ｓ６１０のＮＯ）、変換の要求の処理が終了する。
【００６１】
（仮想投資実行フェーズ）
投資サーバ１０は、投資チップの数を指定した投資の指示を受け付ける（Ｓ６１２）。投資サーバ１０は、投資される投資チップの有効期限が現在から所定期間後、例えば２週間後より前であるか否かを判定する（Ｓ６１４）。前であると判定された場合（Ｓ６１４のＹＥＳ）、投資サーバ１０は所定の警告処理を行う（Ｓ６１６）。前でないと判定された場合（Ｓ６１４のＮＯ）、投資サーバ１０は、指示された仮想投資を実行する（Ｓ６１８）。投資サーバ１０は、実行された仮想投資をユーザ情報保持部１３４に登録する。図５に示されるユーザ情報保持部１３４において、例えば有効期限が２０１８／６／２０の１投資チップ（投資チップＩＤ＝Ｂ００３、投資ポイント数＝７８９）で株価＝２６３投資ポイントの乙ホールディングの仮想株「３株」を購入した場合、（投資チップＩＤ＝Ｂ００３、投資ポイント数＝７８９、有効期限＝２０１８／６／２０）のエントリに対応付けて、（投資対象＝乙ホールディング、買値／売値＝１株２６３ポイント、株数＝３、倍率＝１）が登録される。
【００６２】
図７は、投資チップへの変換、投資チップの投資および決済に係るデータの変遷を説明する模式図である。投資サーバ１０でユーザのポイントやチップを扱う上で、獲得ポイントドメイン６５０、未投資の投資ポイントドメイン６５２、未投資の投資チップドメイン６５４、既投資の投資ポイントドメイン６５６、既投資の投資チップドメイン６５８の五つのドメインがあると見ることができる。未投資の投資ポイントドメイン６５２および既投資の投資ポイントドメイン６５６はユーザに見せることのない裏で持っておくデータが存在するドメインであり、未投資の投資チップドメイン６５４および既投資の投資チップドメイン６５８はユーザに見せることを目的とするデータが存在するドメインである。
【００６３】
Ｓ６６０で、ユーザが３０００獲得ポイントを３投資チップに変換する要求を行うことで、ユーザの獲得ポイントは０となり、未投資の投資ポイントドメイン６５２に３０００投資ポイントが登録され、それに対応して未投資の投資チップドメイン６５４に３投資チップが登録される。ユーザは獲得ポイント＝０、未投資の投資チップ＝３を画面で確認する。
【００６４】
Ｓ６６２で、ユーザが３投資チップのうちの１投資チップを投資するための指示を行うことで、未投資の投資ポイントドメイン６５２において３０００投資ポイントから１０００投資ポイントが減算されて２０００投資ポイントとなり、それに対応して未投資の投資チップドメイン６５４の投資チップは２となる。併せて既投資の投資ポイントドメイン６５６に１０００投資ポイントが登録され、それに対応して既投資の投資チップドメイン６５８に１投資チップが登録される。ユーザは未投資の投資チップが３から２となり、既投資の投資チップが１となったことを画面で確認する。
【００６５】
図７の例では投資した際に手数料を徴収する。Ｓ６６４で、既投資の投資ポイントドメイン６５６において、１０００投資ポイントから手数料の１００投資ポイントが減算されて９００投資ポイントとなる。この９００投資ポイントは５００投資ポイント〜１４９９投資ポイントの範囲内であるから、既投資の投資チップドメイン６５８の投資チップは１のままで変わらない。
【００６６】
Ｓ６６６で、投資先の株価が上昇し、既投資の投資ポイントドメイン６５６において９００投資ポイントが１６００投資ポイントになる。この１６００投資ポイントは、１４９９投資ポイントを超えたので、既投資の投資チップドメイン６５８の投資チップは１から２となる。ユーザは未投資の投資チップが１から２となったことを画面で確認する。
【００６７】
Ｓ６６８で、ユーザはＳ６６６の株価で決済を行う。既投資の投資ポイントドメイン６５６において１６００投資ポイントが削除され、これに対応して既投資の投資チップドメイン６５８の投資チップは２から０となる。代わりに未投資の投資ポイントドメイン６５２において元々の２０００投資ポイントに１６００投資ポイントが追加され、３６００投資ポイントとなる。これに対応して未投資の投資チップドメイン６５４の投資チップは２から４となる。ユーザは、決済の結果、既投資の投資チップドメイン６５８にあった２投資チップが、もともと未投資の投資チップドメイン６５４にあった２投資チップと合算されて４投資チップとなったことを画面で確認する。
【００６８】
図８（ａ）〜（ｄ）は、ポイント投資アプリを実行する携帯端末４のディスプレイ４０に表示される画面の遷移を示す画面遷移図である。
図９（ａ）〜（ｄ）は、ポイント投資アプリを実行する携帯端末４のディスプレイ４０に表示される画面の遷移を示す画面遷移図である。
図１０（ａ）〜（ｃ）は、ポイント投資アプリを実行する携帯端末４のディスプレイ４０に表示される画面の遷移を示す画面遷移図である。
図１１は、携帯端末４のディスプレイ４０に表示される取引履歴画面５９１の代表画面図である。
【００６９】
図８（ａ）はポイント投資アプリのログイン画面５０６を示す。ユーザはログイン画面５０６でユーザＩＤとパスワードとを入力し、ＯＫボタンをタップする。携帯端末４は、タップの検出に応じて、入力されたユーザＩＤおよびパスワードを取得し、ネットワーク６を介して投資サーバ１０に送信する。投資サーバ１０は、ユーザ情報保持部１３４に登録されているユーザＩＤおよびパスワードと、受信したユーザＩＤおよびパスワードと、を照合し、ユーザ認証を行う。投資サーバ１０は、ユーザ認証の成否を示す情報をネットワーク６を介して携帯端末４に送信する。携帯端末４は、ユーザ認証に成功した場合は図８（ｂ）に示されるホーム画面５００をディスプレイ４０に表示させ、失敗した場合は所定のエラー画面（不図示）をディスプレイ４０に表示させる。
【００７０】
ホーム画面５００には、ユーザ認証（またはログイン）に成功したユーザのユーザＩＤ５０８と、現在の日時５１０と、ユーザが保有する獲得ポイントおよび投資チップの概略と、が表示される。特に、ホーム画面５００には、ユーザが有する獲得ポイントの合計である総獲得ポイント数５１２と、ユーザが有する投資チップの合計である総投資チップ数５１６と、が表示される。ホーム画面５００には、総獲得ポイント数５１２に関連して、有効期限が比較的近い獲得ポイントについて通知するための警告メッセージ５１４が表示される。ホーム画面５００には、総投資チップ数５１６に関連して、総投資チップ数５１６のうちの未投資分投資チップ数５１８と、既投資分の投資チップに係る評価チップの合計である既投資分総評価チップ数５２０と、増減チップの合計である総増減チップ数５２２と、が表示される。ホーム画面５００には、特典と交換ボタン５２４、投資チップに変換ボタン５２６、新規注文ボタン５２８、保有状況の確認・決済ボタン５３０、取引履歴ボタン５３２が設けられ、それぞれ対応する機能への動線として機能する。
【００７１】
携帯端末４は、投資チップに変換ボタン５２６に対するタップを検出すると、図８（ｃ）に示される変換画面５０２をディスプレイ４０に表示させる。変換画面５０２は、総獲得ポイント数５３４と、変換元の獲得ポイント数入力／表示領域５３６と、変換先の投資チップ数入力／表示領域５３８と、有効期限内訳表示領域５４０と、注意書き表示領域５４２と、を有する。ユーザが変換元の獲得ポイント数入力／表示領域５３６に所望の獲得ポイント数を入力すると、入力された獲得ポイント数に対応する変換先の投資チップ数が算出され、変換先の投資チップ数入力／表示領域５３８に表示される。逆もしかりであり、ユーザが変換先の投資チップ数入力／表示領域５３８に所望の投資チップ数を入力すると、入力された投資チップ数に対応する変換元の獲得ポイント数が算出され、変換元の獲得ポイント数入力／表示領域５３６に表示される。
【００７２】
有効期限内訳表示領域５４０は、変換元の獲得ポイント数入力／表示領域５３６に入力されるか表示される変換元の獲得ポイント数の有効期限の内訳を表示する。有効期限内訳表示領域５４０は、有効期限ごとに獲得ポイント数を表示し、さらに変換後の対応する投資チップ数および有効期限を表示する。注意書き表示領域５４２は、投資チップへの変換レートを示すテキストと、獲得ポイントを投資チップに変換すると有効期限が延びる旨を示すテキストと、いったん投資チップに変換してしまうと獲得ポイントに戻すことはできない旨を示すテキストと、を含む。
【００７３】
携帯端末４は、変換画面５０２のＯＫボタンに対するタップを検出すると、変換元の獲得ポイント数入力／表示領域５３６に入力／表示された獲得ポイント数と、その有効期限ごとの内訳と、を含む変換要求を生成し、ネットワーク６を介して投資サーバ１０に送信する。投資サーバ１０は上述の通りに変換要求を処理し、変換の結果をネットワーク６を介して携帯端末４に送信する。携帯端末４は、受信した変換の結果が反映されたホーム画面５００をディスプレイ４０に表示させる（図８（ｄ））。
【００７４】
携帯端末４は、ホーム画面５００の新規注文ボタン５２８に対するタップを検出すると、図９（ａ）に示される投資対象選択画面５４４をディスプレイ４０に表示させる。投資対象選択画面５４４は、ユーザが有する未投資分投資チップ数５４６と、複数の投資対象オブジェクト５４８、５５０と、を有する。投資対象オブジェクトは、ユーザが既にその投資対象に投資を行っているか否かで表示の態様が異なる。既に投資を行っている投資対象に対応する投資対象オブジェクト５４８は、投資対象の名前と、投資対象の現在の株価（任意単位）と、評価チップ数と、を表示する。表示される株価の単位を任意としているが、代わりに投資チップ単位としてもよいし、他の単位としてもよい。まだ投資していない投資対象の投資対象オブジェクト５５０は、投資対象の名前と、投資対象の現在の株価（任意単位）と、を表示する。
【００７５】
携帯端末４は、投資対象選択画面５４４に含まれるいずれかの投資対象オブジェクトに対するタップを検出すると、図９（ｂ）に示される注文受け付け画面５０４をディスプレイ４０に表示させる。注文受け付け画面５０４は、投資対象選択画面５４４でタップを検出した投資対象オブジェクト、すなわちユーザに選択された投資対象オブジェクトに対応する投資対象の名前５５２と、その投資対象の現在の株価（任意単位）５５４と、ユーザが有する未投資分投資チップ数５５６と、ユーザに投資の内容を指定させるための領域と、を有する。この領域は、注文種別（買いか、売りか）の選択を受け付ける注文種別選択領域５５８と、投資する投資チップ数を入力するための投資チップ数入力領域５６０と、投資倍率を入力するための投資倍率入力領域５６２と、を有する。携帯端末４は、注文受け付け画面５０４の注文ボタン５６４に対するタップを検出すると、注文種別選択領域５５８で選択された注文種別と、投資チップ数入力領域５６０に入力された投資チップ数と、投資倍率入力領域５６２に入力された投資倍率と、を含む投資指示を、ネットワーク６を介して投資サーバ１０に送信する。投資サーバ１０は、受信した投資指示に基づき上述の投資処理を実行する。
【００７６】
投資するよう指示された投資チップ数は、投資サーバ１０においてデフォルトで、有効期限の短いものから選択され構成される。例えば、図５に示されるユーザ情報保持部１３４について、２投資チップを投資するよう指示された場合、仮想投資処理部１２８は、未投資分の投資チップのうち最も有効期限の短い投資チップＩＤ「Ｂ００３」の投資チップ（有効期限＝２０１８／６／２０）を選択し、残りの１投資チップを次に有効期限が短い投資チップＩＤ「Ｂ００２」の投資チップ（有効期限＝２０１９／６／１０）から充当する。その結果、２投資チップの内訳は、「２０１８／６／２０有効期限の１投資チップ」、「２０１９／６／１０有効期限の１投資チップ」となる。
【００７７】
仮想投資処理部１２８は、上述のようにデフォルトで選択された投資チップのなかに有効期限が比較的短い投資チップがある場合、その有効期限が短い投資チップを含まない内訳の代替案を生成する。仮想投資処理部１２８は、現在の投資チップの内訳と、生成された内訳の代替案と、を含む警告情報を携帯端末４に送信する。携帯端末４は、警告情報を受信すると、注文受け付け画面５０４に警告表示領域５６６を表示させる（図９（ｃ））。警告表示領域５６６は、投資する投資チップのなかに有効期限が短い投資チップが含まれる旨を示すテキスト５６８と、現在の投資チップの内訳５７０と、内訳の代替案５７２と、を含む。ユーザはラジオボタンにより現在の内訳または内訳の代替案のいずれか一方を選択し、注文ボタン５６４をタップする。携帯端末４は、そのタップを検出すると、選択された内訳を投資サーバ１０に送信する。投資サーバ１０は選択された内訳で投資を実行する。
【００７８】
携帯端末４は、図９（ｃ）の注文受け付け画面５０４の詳細ボタン５７４に対するタップを検出すると、注文受け付け画面５０４の警告表示領域５６６に代えて内訳入力領域５７６を表示させる（図９（ｄ））。携帯端末４は、詳細ボタン５７４に対するタップを検出すると、投資サーバ１０からユーザが有する全ての未投資分の投資チップおよびその有効期限を取得する。携帯端末４は、取得した情報に基づいて内訳入力領域５７６を生成する。内訳入力領域５７６は、現在ユーザが有している全ての未投資分の投資チップおよびその有効期限をリストで表示し、そのそれぞれに対して投資チップ数入力領域５７８を設けている。ユーザは、所望の内訳を入力し、注文ボタン５６４をタップする。携帯端末４は、そのタップを検出すると、入力された内訳を投資サーバ１０に送信する。投資サーバ１０は入力された内訳で投資を実行する。
【００７９】
携帯端末４は、ホーム画面５００の保有状況の確認・決済ボタン５３０に対するタップを検出すると、図１０（ａ）に示される保有状況表示画面５８０をディスプレイ４０に表示させる。保有状況表示画面５８０は、ユーザが有する評価チップ数（評価額）の合計５８２と、投資中（既投資分）の投資チップの評価チップ数の合計５８４と、増減チップ数の合計５８６と、投資中の投資対象に対応する投資中オブジェクト５８８と、を有する。投資中オブジェクト５８８は、投資中の投資対象の名前と、現在の株価（任意単位）と、現在の評価チップ数と、現在の増減チップ数と、決済ボタン５９０と、を表示する。
【００８０】
携帯端末４は、保有状況表示画面５８０に含まれるいずれかの投資中オブジェクトの決済ボタンに対するタップを検出すると、図１０（ｂ）に示される決済画面５９２をディスプレイ４０に表示させる。決済画面５９２は、保有状況表示画面５８０でタップを検出した投資中オブジェクト、すなわちユーザに選択された投資中オブジェクトに対応する投資対象の名前５９４と、その投資対象の現在の株価（任意単位）５９６と、ユーザが有する未投資分投資チップ数５９８と、投資したときの情報を表示する投資時情報表示領域５９７と、決済に係る情報を表示する決済情報表示領域５９５と、決済ボタン５９３と、を有する。決済情報表示領域５９５は、投資対象に投資されている投資チップの現在の評価チップ数と、評価損益と、を表示する。携帯端末４は、決済ボタン５９３に対するタップを検出すると、保有状況表示画面５８０でユーザに選択された投資中オブジェクトに対応する投資対象を特定する情報を含む決済要求を生成し、ネットワーク６を介して投資サーバ１０に送信する。投資サーバ１０は決済要求を受信すると、それに含まれる投資対象に係る投資を決済するための処理を行う。投資サーバ１０は、決済の結果をネットワーク６を介して携帯端末４に送信する。携帯端末４は、受信した決済の結果が反映されたホーム画面５００をディスプレイ４０に表示させる（図１０（ｃ））。
【００８１】
携帯端末４は、ホーム画面５００の取引履歴ボタン５３２に対するタップを検出すると、図１１に示される取引履歴画面５９１をディスプレイ４０に表示させる。取引履歴画面５９１には、履歴表示の対象となる期間の入力および表示を可能とする期間入力／表示領域５８９と、取引の履歴５８７と、が表示される。
【００８２】
上述の実施の形態において、保持部の例は、ハードディスクや半導体メモリである。また、本明細書の記載に基づき、各部を、図示しないＣＰＵや、インストールされたアプリケーションプログラムのモジュールや、システムプログラムのモジュールや、ハードディスクから読み出したデータの内容を一時的に記憶する半導体メモリなどにより実現できることは本明細書に触れた当業者には理解される。
【００８３】
本実施の形態に係る投資サーバ１０によると、投資ポイントをより桁数の少ない投資チップとして表示し、投資チップ単位で投資の申し込みを受け付けたり評価額を表示したりすることで、端数に捕らわれない分かりやすいインタフェースをユーザに提供できる。
また、特典と交換する場合にもまとまった単位での交換となるため、桁数の大きいポイントのように端数の出易い単位よりある程度まとまった単位の投資チップとすることで端数がユーザに表示されず、端数の出にくい投資チップに変換してその単位で投資し、端数の出にくい投資チップで特典に交換するので、ユーザーフレンドリーで分かり易い仕組みとなる。
【００８４】
また、本実施の形態に係る投資サーバ１０によると、変換元の獲得ポイントに複数の有効期限の獲得ポイントが混じっている場合でも、変換先の投資チップの有効期限は投資チップごとに設定され、特に変換元の獲得ポイントの有効期限のうち最も長いものに設定される。したがって、１つの投資チップについて複数の有効期限を考える必要はなく、処理や表示がより簡易となる。また、ユーザにとっては投資チップに換えることで有効期限が延びるのであるから、投資チップを利用することのモチベーションが得られる。
【００８５】
また、本実施の形態に係る投資サーバ１０では、投資の結果により生じた損益を、投資チップごとに割り振るアルゴリズムを採用することができる。したがって、ユーザの納得感を高めることができる。
【００８６】
以上、実施の形態に係る投資サーバ１０の構成と動作について説明した。この実施の形態は例示であり、各構成要素や各処理の組み合わせにいろいろな変形例が可能なこと、またそうした変形例も本発明の範囲にあることは当業者に理解される。
【００８７】
実施の形態では、獲得ポイントと投資ポイントとの間の変換に方向性の制限はなく、いずれの方向の変換も可能であることが想定されているが、これに限られず、例えば獲得ポイントから投資ポイントへの変換は可能としつつ、その逆は不可としてもよい。この場合、（１）ポイント投資サービスの提供者にとっては獲得ポイントの発行体との利害関係の調整がよりスムーズになるという利点があり、（２）ユーザにとっては投資ポイントに変換することで有効期限を延ばすことができ、ポイントの有効利用を図ることができるという利点があり、さらに（３）投資ポイントへの変換のモチベーションが高まるので投資ポイントの普及を後押しすることができる。
【００８８】
実施の形態では、獲得ポイントを発行する主体と、投資ポイントを発行する主体と、は異なる場合について説明したが、これに限られず、例えば獲得ポイントを発行する主体は投資ポイントを発行する主体と同じであってもよく、その結果、獲得ポイントと投資ポイントとが同じポイントであってもよい。この場合、獲得ポイントから投資ポイントへの変換手順はないこととなる。
【００８９】
実施の形態では、ポイントを獲得して投資する場合について説明したが、電子的価値であればポイントに限らず、例えばクーポンやマイルやコインやチップなどにも本実施の形態の技術的思想を適用することができる。電子的価値は、金額等の財産的価値が電子的に記載または記録されるもののうち、資金決済に関する法律で定められる前払式支払手段に該当しないものとして定義されてもよい。
【００９０】
実施の形態では、投資チップの有効期限を変換元の獲得ポイントの有効期限のうち最も長いものに設定する場合について説明したが、これに限られず、例えば獲得ポイントから投資チップへの変換で有効期限を一律に所定期間（例えば、半年）だけ延長してもよいし、投資チップの有効期限を無期限としてもよい。あるいはまた、実施の形態では獲得ポイントに有効期限が設定される場合について説明したが、これに限られず、獲得ポイントに有効期限が存在しない場合にも、本実施の形態に係る技術的思想を適用できる。この場合、投資チップに有効期限を設定してもしなくてもよい。
【００９１】
実施の形態では、投資サーバ１０は仮想投資を実行する場合を説明したが、これに限られず、実際の株式売買や外国為替売買などの実際の投資を実行するための処理を行ってもよい。
【００９２】
実施の形態において、設定可能な投資倍率の最大値を、有効期限に応じて可変としてもよい。例えば、有効期限が短いほど投資倍率の最大値を大きくするよう投資サーバ１０を構成してもよい。これにより、投資へのインセンティブをより高めることができる。
【００９３】
実施の形態において、予め投資期間を指定し、その投資期間に応じて有効期限を設定する構成であってもよい。例えば、３か月、６か月、１年、２年で、それぞれ、有効期限を１年、２年、３年、４年の有効期限を設定する構成であってもよい。
【００９４】
実施の形態において、仮想の投資先に応じて有効期限を設定する構成であってもよい。例えば、通常は１年の有効期限であるが、特定の投資先に関しては２年とすることもできる。
【００９５】
実施の形態において、ユーザ情報保持部１３４は、さらにユーザの会員ランクを保持してもよい。会員ランクは、例えば、獲得ポイントの有効期限がない上級会員（特定会員）と、獲得ポイントの有効期限が設定される一般会員と、を含む。上記実施の形態は獲得ポイントの有効期限が設定される一般会員に適用されてもよく、この場合、上級会員については、獲得ポイントも投資チップも無期限で処理されるなどの別の扱いがなされてもよい。
【００９６】
実施の形態においては、図５に示すように、獲得ポイントを投資チップに変換して投資した場合でも、投資チップに対応する投資ポイント数を内部的に端数処理せずに保持しているが、仮想投資して株を買って保有し、任意のタイミングでその株を売るタイミングで売った株に相当する投資ポイントは、売った株に相当する投資チップを獲得ポイントを投資チップに変換するレートで算出した値とする構成とすることもできる。例えば、タイミングＡで獲得ポイント１０００ポイントを投資チップ１枚に変換し（変換レートは１０００ポイント／枚）、タイミングＢで投資チップ１枚を会社Ｘに投資し、タイミングＣで売却したところ、投資チップ２枚で投資ポイント１６００であるところを、前記の通り、この１６００投資ポイントを保持するのではなく、投資チップ２枚を前記変換レートで算出して２０００投資ポイントで保持する構成も可能である。
【００９７】
実施の形態に係る技術的思想は、以下の項目により規定されてもよい。
（項目１）
ユーザが有する第１の電子的価値の数量を保持する保持手段と、
ネットワークを介してユーザの端末から、第２の電子的価値の数量を指定した投資の指示を受け付ける受付手段と、
指定された第２の電子的価値の数量に対応する第１の電子的価値の数量を用いて投資の結果を算出する算出手段と、
算出された投資の結果で前記保持手段を更新する更新手段と、を備え、
第１の電子的価値と第２の電子的価値との変換レートは、第２の電子的価値の数量が対応する第１の電子的価値の数量よりも少なくとも一桁小さくなるよう設定されるサーバ。
（項目２）
ネットワークを介してユーザの端末から、第３の電子的価値から第２の電子的価値への変換の要求を受け付ける手段と、
変換元の第３の電子的価値が有効期限の異なる複数の数量を含み、それらの数量を第２の電子的価値の一単位へと変換する際、当該一単位の有効期限を、前記複数の数量の複数の有効期限のうち最も長い有効期限と同じかそれよりも長く設定する変換手段と、をさらに備える項目１に記載のサーバ。
（項目３）
前記変換手段は、ユーザに対応付けて、第２の電子的価値の前記一単位を特定する情報と、設定された有効期限と、第２の電子的価値の前記一単位に対応する第１の電子的価値の数量と、を前記保持手段に登録する項目２に記載のサーバ。
（項目４）
ネットワークを介してユーザの端末に、当該ユーザが有する第２の電子的価値の数量を示す画面を当該端末のディスプレイに表示させるための情報を送信する送信手段をさらに備え、
前記画面は第１の電子的価値の数量の表示を含まない項目１から３のいずれか一項に記載のサーバ。
（項目５）
前記保持手段に保持される第１の電子的価値の数量に所定の端数処理を行うことで、前記画面に示されるべき第２の電子的価値の数量を算出する手段をさらに備える項目４に記載のサーバ。
（項目６）
ユーザが有する第１の電子的価値の数量を保持手段に登録する機能と、
ネットワークを介してユーザの端末から、第２の電子的価値の数量を指定した投資の指示を受け付ける機能と、
指定された第２の電子的価値の数量に対応する第１の電子的価値の数量を用いて投資の結果を算出する機能と、
算出された投資の結果で前記保持手段を更新する機能と、をサーバに実現させ、
第１の電子的価値と第２の電子的価値との変換レートは、第２の電子的価値の数量が対応する第１の電子的価値の数量よりも少なくとも一桁小さくなるよう設定されるコンピュータプログラム。
（項目７）
ネットワークを介して項目１から５のいずれか一項に記載のサーバに、第２の電子的価値の数量を指定した投資の指示を送信する機能を端末に実現させるためのコンピュータプログラム。
（項目８）
ネットワークを介して項目１から５のいずれか一項に記載のサーバに、第２の電子的価値の数量を指定した投資の指示を送信する手段を備える端末。
【符号の説明】
【００９８】
２  ポイント投資システム、  ４  携帯端末、  ６  ネットワーク、  ８  情報配信サーバ、  １０  投資サーバ。
【図１】
2020181493.tif 000003
【図２】
2020181493.tif 000004
【図３】
2020181493.tif 000005
【図４】
2020181493.tif 000006
【図５】
2020181493.tif 000007
【図６】
2020181493.tif 000008
【図７】
2020181493.tif 000009
【図８】
2020181493.tif 000010
【図９】
2020181493.tif 000011
【図１０】
2020181493.tif 000012
【図１１】
2020181493.tif 000013